(57)【要約】【課題】  ＣＤおよびＤＶＤ用の光学系素子を一体とした場合に、検出器において、２つのレーザビームの光量を十分に検出可能なように光学系素子を配置する光ピックアップ装置を提供する。【解決手段】  光ピックアップ装置の光学系統の光学素子は、広がり角度の大きいレーザダイオード９ｂの光軸Ｌｂと各光学素子の中心軸とが一致するように配置される。また、広がり角度の小さいレーザダイオード９ａをＸ軸方向にずらして配置する。さらに、光量検出器１３をコリメーターレンズ１２に近接して周辺に配置する際、光量検出器１３をコリメーターレンズ１２に対してＸ軸方向側に配置する。【選択図】        図２
2005174420.tif 000002
【特許請求の範囲】
【請求項１】
第１レーザビームを発する第１発光源と、
前記第１発光源に近接配置され、前記第１レーザビームよりも広がり角が小さい主光線を有する第２レーザビームを発する第２発光源と、
前記第１および第２レーザビームを記録媒体に導くとともに前記記録媒体で反射された反射ビームを光検出手段に導く光路を形成する前記第１および第２レーザビームの各々が通過する複数の光学素子で形成される光学系とを備え、
前記光学系は、前記第１および第２レーザビームの照射量を検知し、検知結果に基づいて所望の照射量となるように制御するための光量検出器を含み、
前記複数の光学素子は、前記第１発光源の前記第１レーザビームの光軸を中心軸として配置され、
前記第２発光源は、前記第１の発光源を基準に所定方向に近接して配置され、
前記光量検出器は、前記複数の光学素子のうちの少なくとも１つの光学素子の周辺から漏れる前記第１および第２レーザビームを検出するように前記１つの光学素子に近接して前記所定方向に配置され、
前記第１および第２発光源は、共通のパッケージ内に収納され、
前記第１レーザビームの波長は前記第２レーザビームよりも長く、
前記少なくとも１つの光学素子は、入射する前記第１および第２のレーザビームを平行光線として出射するコリメーターレンズに相当する、光ピックアップ装置。
【請求項２】
第１レーザビームを発する第１発光源と、
前記第１発光源に近接配置され、前記第１レーザビームよりも広がり角が小さい主光線を有する第２レーザビームを発する第２発光源と、
前記第１および第２レーザビームを記録媒体に導くとともに前記記録媒体で反射された反射ビームを光検出手段に導く光路を形成する前記第１および第２レーザビームの各々が通過する複数の光学素子で形成される光学系とを備え、
前記光学系は、前記第１および第２レーザビームの照射量を検知し、検知結果に基づいて所望の照射量となるように制御するための光量検出器を含み、
前記複数の光学素子は、前記第１発光源の前記第１レーザビームの光軸を中心軸として配置され、
前記第２発光源は、前記第１の発光源を基準に所定方向に近接して配置され、
前記光量検出器は、前記複数の光学素子のうちの少なくとも１つの光学素子の周辺から漏れる前記第１および第２レーザビームを検出するように前記１つの光学素子に近接して前記所定方向に配置される、光ピックアップ装置。
【請求項３】
前記第１および第２発光源は、共通のパッケージ内に収納されている、請求項２記載の光ピックアップ装置。
【請求項４】
前記第１レーザビームの波長は前記第２レーザビームよりも長い、請求項２記載の光ピックアップ装置。
【請求項５】
前記少なくとも１つの光学素子は、入射する前記第１および第２のレーザビームを平行光線として出射するコリメーターレンズに相当する、請求項２記載の光ピックアップ装置。
【発明の詳細な説明】
【技術分野】
【０００１】
本発明は、光ピックアップ装置に関し、特にレーザダイオードの光量を検出する光量検出器を備えた光ピックアップ装置に関する。
【背景技術】
【０００２】
従来より、ＣＤ（Compact Disk）およびＤＶＤ（Digital Versatile Disk）いずれをも再生可能とする光ピックアップ装置の搭載が盛んに提案されている。
【０００３】
図３は、従来の光ピックアップ装置４１の概略構成図である。
【０００４】
図３を参照して、光ピックアップ装置４１は、ＣＤ用のレーザダイオード５６と、ＤＶＤ用のレーザダイオード４８と、回折格子（グレーディング）４９，５５と、反射鏡５２と、立上げ反射鏡４４と、コリメーターレンズ４６，５３と、偏向ビームスプリッタ４５，５０と、１／４λ波長板４３と、対物レンズ４２と、検出器５１と、検出レンズ５７と、光量検出器４７，５４とを備える。
【０００５】
レーザダイオード５６は、ＣＤからの情報読取に最適な波長（７８０ｎｍ）のレーザビームを発生する。レーザビームは、回折格子５５を通過して、わずかな角度だけ分離した３本の光束に分けられる。この３本の光束のうち、中央の光束が読み取り信号とフォーカスエラー信号とを生成するために用いられ、両側の２本の光束がトラッキングエラー信号を生成するために用いられる。このレーザビームは、コリメーターレンズ５３に照射され、コリメーターレンズ５３において平行なレーザビームとされる。そして、反射鏡５２により反射されて偏向ビームスプリッタ４５に入射される。偏向ビームスプリッタ４５に入射されたレーザビームは反射されて立上げ反射鏡４４に導かれる。そして、立上げ反射鏡４４により反射されて、１／４λ波長板４３を通過する。１／４λ波長板４３を通過したレーザビームは、対物レンズ４２によりディスク４０の照射ポイントに照射される。
【０００６】
レーザダイオード４８は、ＤＶＤからの情報読取に最適な波長（６３５ｎｍ）のレーザビームを発生する。レーザビームは、回折格子４９を介して偏向ビームスプリッタ４５に入射される。入射したレーザビームは、偏向ビームスプリッタ４５により反射されて、コリメーターレンズ４６に入射される。コリメーターレンズ４６に入射されたレーザビームは、平行にされて、偏向ビームスプリッタ４５を介して立上げ反射鏡４４に導かれる。以降は、レーザダイオード５６で説明したのと同様、立上げ反射鏡４４、１／４λ波長板４３、対物レンズ４２を介してディスク４０の照射ポイントに照射される。
【０００７】
ＣＤもしくはＤＶＤに照射された光の戻り光すなわち情報読取光は、対物レンズ４２、１／４λ波長板４３、立上げ反射鏡４４、偏向ビームスプリッタ４５、コリメーターレンズ４６、偏向ビームスプリッタ５０を介して検出レンズ５７に照射される。検出レンズ５７は、集光して検出器５１に照射する。検出器５１は、照射された光の光量に対応したレベルを有するアナログの電気信号を発生し、これを読取信号としてＣＤもしくはＤＶＤの記録された読取データを再生する。なお、偏向ビームスプリッタ４５，５０は、所定波長のレーザビームを透過あるいは反射するように予め設計されているものとする。
【０００８】
光量検出器４７，５４については、コリメーターレンズ４６，５３の周辺にそれぞれ近接して配置され、各レーザダイオードから出射されるレーザビームに関して、コリメーターレンズの周辺領域に漏れるレーザビーム量を検出して、検出結果に基づいて所望のレーザビーム量を出射するように調整する。
【０００９】
しかしながら、このＣＤおよびＤＶＤ用の双方に対応可能な光ピックアップ装置において装置全体の小型化や製造コストの低減を図るためには、ＣＤおよびＤＶＤ用の光学系統をできるだけ共通化することが望ましい。具体的には、光学系統を構成する各光学素子ができるだけ集積され、一体の素子として構成されていることが望ましい。
【００１０】
このような要求に応じるべくＣＤおよびＤＶＤ用の光学系素子が一体の素子として構成された光ピックアップ装置の構成が特開２００１−２３２２５号公報で開示されている。
【特許文献１】特開２００１−２３２２５号公報
【発明の開示】
【発明が解決しようとする課題】
【００１１】
しかしながら、一体の素子として２つのレーザビームを出射する光源を配置する場合、出射ポイントの位置が異なるため２つのレーザビームの光軸にずれが生じる。また、ＣＤおよびＤＶＤ用の光源は、レーザビームの放射角度すなわち広がり角度がそれぞれ異なる。
【００１２】
したがって、広がり角度の小さいレーザビームを検出する際に、光量検出器において所望の検出量を得る点で、十分な検出量を得られなくなる可能性があり、所望のレーザビーム照射量に調整することが難しい場合がある。
【００１３】
本発明は、ＣＤおよびＤＶＤ用の光学系素子を一体とした場合に、光量検出器において、２つのレーザビームの光量を十分に検出可能なように光学系素子を配置する光ピックアップ装置を提供することを目的とする。
【課題を解決するための手段】
【００１４】
本発明の光ピックアップ装置は、第１レーザビームを発する第１発光源と、第１発光源に近接配置され、第１レーザビームよりも広がり角が小さい主光線を有する第２レーザビームを発する第２発光源と、第１および第２レーザビームを記録媒体に導くとともに記録媒体で反射された反射ビームを光検出手段に導く光路を形成する第１および第２レーザビームの各々が通過する複数の光学素子で形成される光学系とを備える。光学系は、第１および第２レーザビームの照射量を検知し、検知結果に基づいて所望の照射量となるように制御するための光量検出器を含む。複数の光学素子は、第１発光源の第１レーザビームの光軸を中心軸として配置される。第２発光源は、第１の発光源を基準に所定方向に近接して配置される。光量検出器は、複数の光学素子のうちの少なくとも１つの光学素子の周辺から漏れる第１および第２レーザビームを検出するように１つの光学素子に近接して所定方向に配置される。第１および第２発光源は、共通のパッケージ内に収納される。第１レーザビームの波長は第２レーザビームよりも長い。少なくとも１つの光学素子は、入射する第１および第２のレーザビームを平行光線として出射するコリメーターレンズに相当する。
【００１５】
本発明の別の光ピックアップ装置は、第１レーザビームを発する第１発光源と、第１発光源に近接配置され、第１レーザビームよりも広がり角が小さい主光線を有する第２レーザビームを発する第２発光源と、第１および第２レーザビームを記録媒体に導くとともに記録媒体で反射された反射ビームを光検出手段に導く光路を形成する第１および第２レーザビームの各々が通過する複数の光学素子で形成される光学系とを備える。光学系は、第１および第２レーザビームの照射量を検知し、検知結果に基づいて所望の照射量となるように制御するための光量検出器を含む。複数の光学素子は、第１発光源の第１レーザビームの光軸を中心軸として配置される。第２発光源は、第１の発光源を基準に所定方向に近接して配置される。光量検出器は、複数の光学素子のうちの少なくとも１つの光学素子の周辺から漏れる第１および第２レーザビームを検出するように１つの光学素子に近接して所定方向に配置される。
【００１６】
好ましくは、第１および第２発光源は、共通のパッケージ内に収納されている。
【００１７】
好ましくは、第１レーザビームの波長は第２レーザビームよりも長い。
【００１８】
好ましくは、少なくとも１つの光学素子は、入射する第１および第２のレーザビームを平行光線として出射するコリメーターレンズに相当する。
【発明の効果】
【００１９】
広がり角度の大きい第１発光源の第１レーザビームの光路を中心軸として光学系統の複数の光学素子を配置し、広がり角度の小さい第２発光源を第１の発光源を基準に所定方向に近接して配置し、光量検出器を光学素子に近接して所定方向に配置する。これにより広がり角度の小さい第２発光源の光軸に光量検出器がより近づくため光学素子から漏れる広がり角度の小さい第２発光源の第２レーザビームの光量を十分に検出することができる。これにより、精度よく第１および第２レーザビームのビーム量を所望の量に制御することができる。
【発明を実施するための最良の形態】
【００２０】
本発明の実施の形態について図面を参照しながら詳細に説明する。なお、図中同一または相当部分には同一符号を付し、その説明は繰返さない。
【００２１】
図１は、本発明の実施の形態に従う光ピックアップ装置１の概略構成図である。
【００２２】
図１を参照して、本発明の実施の形態に従う光ピックアップ装置１は、ＣＤ用およびＤＶＤ用の一体の素子として設けられたレーザダイオード９ａ，９ｂと、回折格子（グレーディング）８と、偏向ビームスプリッタ７と、立上げ反射鏡６と、コリメーターレンズ１２と、１／４λ波長板３と、対物レンズ２と、検出レンズ１０と、検出器１１と、光量検出器１３とを備える。
【００２３】
レーザダイオード９ａは、ＤＶＤ用のレーザビームを発生する。上述したようにレーザダイオード９ａのレーザビームは、回折格子８、コリメーターレンズ１２、偏向ビームスプリッタ７を介して立上げ反射鏡６に入射される。レーザビームは立上げ反射鏡６にて反射され、１／４λ波長板３を通過する。１／４λ波長板３を通過したビームは、対物レンズ２によりＤＶＤの照射ポイントに照射される。
【００２４】
レーザダイオード９ｂは、ＣＤ用のレーザビームを発生する。上述したようにレーザダイオード９ｂのレーザビームは、上記と同様に回折格子８、コリメーターレンズ１２、偏向ビームスプリッタ７を介して立上げ反射鏡６に入射され、反射されて１／４λ波長板３、対物レンズ２を介してＣＤの照射ポイントに照射される。
【００２５】
ＣＤもしくはＤＶＤに照射された光の戻り光すなわち情報読取光は、対物レンズ２、１／４λ波長板３、立上げ反射鏡６を介して偏向ビームスプリッタ７に入射される。偏向ビームスプリッタ７に入射されたレーザビームは、反射されて検出レンズ１０に照射される。検出レンズ１０は、集光して検出器１１に照射する。検出器１１は、照射された光の光量に対応したレベルを有するアナログの電気信号を発生し、これを読取信号としてＣＤおよびＤＶＤの記録された読取データを再生する。
【００２６】
光量検出器１３は、コリメーターレンズ１２の周辺に近接して配置され、レーザダイオード９ａ，９ｂから出射されるレーザビームに関してコリメーターレンズ１２の周辺から漏れる光を検出して、検出結果に基づいて所望のレーザビーム量を出射するようにビーム量を調整する。
【００２７】
以下、本発明の実施の形態における光量検出器１３および光学素子の配置方式について説明する。
【００２８】
図２は、図１の光ピックアップ装置１についてＹ軸方向から見た構成図である。
【００２９】
図２を参照して、レーザダイオード９ａ，９ｂから放射角度すなわち広がり角度が異なるレーザビームが出射されている。具体的には、再生用であるＣＤ用のレーザダイオード９ｂの広がり角度θｂは、記録再生用であるＤＶＤ用のレーザダイオード９ａの広がり角度θａ（＜θｂ）よりも大きい。一般的に広がり角度の大きいレーザビームの方が各光学素子に入射される光の均一度が増す。これにより、ピックアップの精度が向上するため再生用のレーザダイオード９ｂは、広がり角度の大きいレーザビームを出射する。一方、記録再生用のレーザダイオード９ａは、記録時にある程度のビーム強度が必要である。したがって、広がり角度をある程度抑制して所望のビーム強度を確保する必要があり、広がり角度はレーザダイオード９ｂと比較して小さく設計されている。
【００３０】
これらのレーザビームは、上述したように図示していない回折格子８、コリメーターレンズ１２、偏向ビームスプリッタ７、立上げ反射鏡６、１／４λ波長板３、対物レンズ２を介してディスクに照射される。
【００３１】
ここで、本構成の光ピックアップ装置１の光学系統の光学素子は、広がり角度の大きいレーザダイオード９ｂに照準を合わせて配置する。具体的には、各光学素子の中心軸がレーザダイオード９ｂのレーザビームの光軸Ｌｂと一致するように配置される。また、広がり角度の小さいレーザダイオード９ａをＸ軸方向にずらして配置する。これにより、レーザダイオード９ａから出射されるレーザビームに関して、コリメーターレンズ１２の周辺領域に対するレーザビームの漏れ量がＸ軸方向に対して増すことになる。
【００３２】
次に、光量検出器１３をコリメーターレンズ１２に近接して周辺に配置する際、レーザダイオード９ａを配置した方向と同じ方向に光量検出器１３を配置する。具体的には、光量検出器１３をコリメーターレンズ１２に対してＸ軸方向側に配置する。
【００３３】
これにより、光量検出器１３をレーザダイオード９ａの光軸Ｌａ側に近づけることができ、レーザダイオード９ａから出射されるレーザビームに関して、十分な光量を光量検出器１３で受光することが可能となる。
【００３４】
仮に、レーザダイオード９ａと９ｂとの配置を入れ替えると、図２に示されるように広がり角度の小さいレーザダイオード９ａに関して、光量検出器１３で十分な光量を検出することが難しくなる。
【００３５】
したがって、本願構成の如く、ＣＤおよびＤＶＤ用の光源を一体の素子として配置する場合、広がり角度の大きいレーザダイオードの光軸Ｌｂを中心に光学系統を構成する各素子を配置し、広がり角度の小さいレーザダイオードを所定方向にずらして配置する。この構成において、光学素子の周辺領域から漏れるレーザビームを検出する光量検出器に関して、光学素子の周辺領域において当該所定方向側に光量検出器を配置することにより、広がり角度の小さいレーザダイオードの光軸Ｌａに光量検出器１３がより近づくため、当該光学素子周辺から漏れる光量を十分に検出することができる。これにより、検出結果に基づいて、所望のレーザビーム量を出射するように精度よくレーザビーム量を調整することができる。
【００３６】
本願構成においては、コリメーターレンズの周辺領域に光量検出器を配置する場合について主に説明したが、これに限られずこれ以外の光学素子の周辺領域に漏れるレーザビームの光量から検出することも可能である。なお、コリメーターレンズはレーザビームを平行とするレンズであるため、これよりも後段に配置される光学素子たとえば偏向ビームスプリッタ７等の周辺領域を用いるよりもコリメーターレンズの周辺領域を用いる方がレーザビームの漏れ量を効率的に検出することが可能である。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】本発明の実施の形態に従う光ピックアップ装置１の概略構成図である。
【図２】図１の光ピックアップ装置１についてＹ軸方向から見た構成図である。
【図３】従来の光ピックアップ装置４１の概略構成図である。
【符号の説明】
【００３９】
１，４１  光ピックアップ装置、２，４２  対物レンズ、３，４３  １／４λ波長板、６，４４  立上げ反射鏡、７，４５，５０  偏向ビームスプリッタ、８，４９，５５  回折格子、９ａ，９ｂ，４８，５６  レーザダイオード、１０，５７  検出レンズ、１１，５１  検出器、１２，４６，５３  コリメーターレンズ、１３，４７，５４  光量検出器、４０  ディスク、５２  反射鏡。
【図１】
2005174420.tif 000003
【図２】
2005174420.tif 000004
【図３】
2005174420.tif 000005